(57)【要約】【課題】本発明の目的は、レトルトパウチ食品用包装袋内の食品をきれいに絞り出すことができる器具を簡単に作り出すことができる包装用外箱を提供することである。【解決手段】レトルトパウチ食品用包装袋（３）を包装する紙製の包装用外箱（３０）は、ミシン目（３１）とミシン目（３２）を備えている。ミシン目３１に沿って切り取ることで、レトルトパウチ食品用包装袋（３）の短辺よりも長い辺を有する切れ端（３０ａ）が作り出される。ミシン目（３２）は、切れ端（３０ａ）の一部に設けられる。ミシン目（３２）に沿って切り取ることで、レトルトパウチ食品用包装袋（３）の短辺よりも長いスリット状の開口部（３０ｂ）が切れ端（３０ａ）に作り出される。【選択図】図７
2020050396.tif 000002
【特許請求の範囲】
【請求項１】
粒状物や液状物やまたはこれらの混合物を内包した袋を包装する紙製の包装用外箱であって、
第一のミシン目と第二のミシン目を備え、
前記第一のミシン目に沿って切り取ることで、前記袋の短辺よりも長い辺を有する切れ端が作り出され、
前記第二のミシン目は、前記切れ端の一部に設けられ、
前記第二のミシン目に沿って切り取ることで、前記袋の短辺よりも長いスリット状の開口部が前記切れ端に作り出される、包装用外箱。
【請求項２】
請求項１に記載の包装用外箱であって、
前記開口部は、未開封の前記袋を通すことが不可能な大きさである、包装用外箱。
【請求項３】
請求項１に記載の包装用外箱であって、
前記開口部は、未開封の前記レトルトパウチ食品用包装袋を通すことが可能な大きさである、包装用外箱。
【発明の詳細な説明】
【技術分野】
【０００１】
本発明は包装用外箱に関し、特にレトルトパウチ食品用包装袋を包装する包装用外箱に関する。
【背景技術】
【０００２】
従来、レトルトパウチ食品用包装袋を包装可能な表面にミシン目が設けられた包装用外箱がある（例えば、特許文献１〜３）。また、特許文献４に示す食品内臓パックの絞り具のように、レトルトパウチ食品用包装袋内の内容物を絞り出すための器具がある。
【先行技術文献】
【特許文献】
【０００３】
【特許文献１】特開２００５−１４９７６号公報
【特許文献２】特開２００４−２９９７１６号公報
【特許文献３】特開平９−７７１３５号公報
【特許文献４】実用新案登録第３１５４５３４号
【発明の概要】
【発明が解決しようとする課題】
【０００４】
しかし、特許文献１〜３に示す包装用外箱には、レトルトパウチ食品用包装袋内の食品をきれいに絞り出すことができるようにするための構造を備えていない。また、レトルトパウチ食品用包装袋内の食品をきれいに絞り出すために、需要者はレトルトパウチ食品を食す際に、特許文献４に示すような器具を準備しなければならないという問題もある。
【０００５】
本発明は、このようなことに鑑みてなされたものであり、本発明の目的は、レトルトパウチ食品用包装袋内の食品をきれいに絞り出すことができる器具を簡単に作り出すことができる包装用外箱を提供することである。
【課題を解決するための手段】
【０００６】
上記目的は、
レトルトパウチ食品用包装袋（３）を包装する紙製の包装用外箱（３０）であって、
第一のミシン目（３１）と第二のミシン目（３２）を備え、
前記第一のミシン目に沿って切り取ることで、前記レトルトパウチ食品用包装袋（３）の短辺よりも長い辺を有する切れ端（３０ａ）が作り出され、
前記第二のミシン目（３２）は、前記切れ端（３０ａ）の一部に設けられ、
前記第二のミシン目（３２）に沿って切り取ることで、前記レトルトパウチ食品用包装袋（３）の短辺よりも長いスリット状の開口部（３０ｂ）が該切れ端（３０ａ）に作り出される、包装用外箱（３０）、
によって達成できる。
【０００７】
また、上記目的は、
上記の包装用外箱（３０）であって、
前記開口部（３０ｂ）は、食品を密封している状態の前記レトルトパウチ食品用包装袋（３）を通すことが不可能な大きさである、包装用外箱（３０）、
によって達成できる。
【０００８】
また、上記目的は、
上記の包装用外箱（３０）であって、
前記開口部（３０ｂ）は、食品を密封している状態の前記レトルトパウチ食品用包装袋（３）を通すことが可能な大きさである、包装用外箱（３０）、
によっても達成される。
【発明の効果】
【０００９】
本発明によれば、レトルトパウチ食品用包装袋内の内容物をきれいに絞り出すことができる器具を簡単に作り出すことができる包装用外箱を提供することができる。
【図面の簡単な説明】
【００１０】
【図１】本発明の第１の実施の形態による包装用外箱１の斜視図である。
【図２】本発明の第１の実施の形態による包装用外箱１の展開図である。
【図３】本発明の第１の実施の形態による包装用外箱１を用いて作り出した絞出器１ａの外観図である。
【図４】本発明の第１の実施の形態による包装用外箱１を用いて作り出した絞出器１ａの使用状態を説明する図である。
【図５】本発明の第２の実施の形態による包装用外箱１０の斜視図である。
【図６】本発明の第１の実施の形態による包装用外箱１の斜視図である。
【図７】本発明の第３の実施の形態による包装用外箱３０の斜視図である。
【図８】本発明の第３の実施の形態による包装用外箱３０の斜視図である。
【図９】本発明の第３の実施の形態による包装用外箱３０を用いて作り出した絞出器３０ａの外観図である。
【図１０】本発明の第４の実施の形態による包装用外箱４０の斜視図である。
【図１１】本発明の第４の実施の形態による包装用外箱４０の展開図である。
【図１２】本考案の第４の実施の形態による包装用外箱４０を用いて作り出した絞出器４０ａの外観図である。
【発明を実施するための形態】
【００１１】
本発明の第１の実施の形態による包装用外箱１について、図１及び図４を用いて説明する。なお、以下の全ての図面においては、理解を容易にするため、各構成要素の寸法や比率などは適宜異ならせて図示している。
【００１２】
図１は、包装用外箱１を正面右斜上から見た斜視図である。図２は、包装用外箱１の展開図である。包装用外箱１は、平面上に展開される紙基材を薄型直方体形状に組み立てることで構成される。包装用外箱１の内部には、レトルトパウチ食品用包装袋３（不図示）を収容することが可能である。なお、以下に示す包装用外箱は、平面上に展開される紙基材を薄型直方体形状に組み立てることで構成される。
【００１３】
図１及び図２に示すように、包装用外箱１には、ミシン目２ａ、２ｂが設けられる。ミシン目２ａ、２ｂは、互いに並行で、かつ少なくとも２ｃｍ以上（好ましくは、３ｃｍ〜５ｃｍ）の間隔で、左側面、正面、右側面、及び背面にわたって、周囲を一周（ミシン目の始点と終点が同じ位置に位置）するように設けられる。包装用外箱１をミシン目２ａ、２ｂに沿って切り取ることで、図３及び図４に示す絞出器１ａが作り出される。なお、ミシン目２ａ、２ｂは、５ｃｍ以上の間隔で設ける場合があってもよいし、互いに平行とならないように設ける場合があってもよい。
【００１４】
図３ａは、絞出器１ａの正面図であり、図３ｂは、絞出器１ａの平面図である。図３に示すように、絞出器１ａは、枠形状である。図４は、絞出器１ａの使用状態を示している。図４に示すように、絞出器１ａの内側にレトルトパウチ食品用包装袋３を通し、親指と人差し指を用いて、絞出器１ａをレトルトパウチ食品用包装袋３に押し当てることで、レトルトパウチ食品用包装袋３内の食品をきれいに絞り出すことが可能となる。
【００１５】
本発明の第２の実施の形態による包装用外箱１０について、図５を用いて説明する。図５は、包装用外箱１０を正面右斜上から見た斜視図である。
【００１６】
図５に示すように、包装用外箱１０には、ミシン目１１ａ、１１ｂ、１２ａ、１２ｂが設けられる。ミシン目１１ａ、１１ｂ、１２ａ、１２ｂのそれぞれは、互いに並行で、左側面、正面、右側面、及び背面にわたって、周囲を一周（ミシン目の始点と終点が同じ位置に位置）するように設けられる。ミシン目１１ｂ、１２ａは、少なくとも２ｃｍ以上（好ましくは、３ｃｍ〜５ｃｍ）の間隔で設けられる。なお、ミシン目１１ｂ、１２ａは、５ｃｍ以上の間隔で設ける場合があってもよい。
【００１７】
また、包装用外箱１０には、ミシン目１１ａ、１１ｂを容易に切り取るためのつまみ１１ｃとミシン目１２ａ、１２ｂを容易に切り取るためのつまみ１２ｃを備えている。つまみ１１ｃ、１２ａは、包装用外箱１０の表面を図のように切り込み線を設けることで構成される。つまみ１１ｃ、１２ｃをミシン目に沿って移動させて切り取ることで、図３に示す絞出器１ａが容易に作り出される。なお、ミシン目１１ａ、１１ｂの間隔やミシン目１２ａ、１２ｂの間隔は、ミシン目１１ｂ、１２ａの間隔よりも狭い。
【００１８】
本発明の第３の実施の形態による包装用外箱２０について、図６を用いて説明する。図６は、包装用外箱２０を正面右斜上から見た斜視図である。
【００１９】
図６に示すように、包装用外箱２０には、ミシン目２１ａ、２１ｂが設けられる。ミシン目２１ａ、２１ｂ、は、互いに並行で、左側面、正面、右側面、及び背面にわたって、周囲を一周（ミシン目の始点と終点が同じ位置に位置）するように設けられる。ミシン目２１ａ、２１ｂは、少なくとも２ｃｍ以上（好ましくは、３ｃｍ〜５ｃｍ）の間隔で設けられる。なお、ミシン目２１ａ、２１ｂは、５ｃｍ以上の間隔で設ける場合があってもよい。
【００２０】
また、包装用外箱２０には、ミシン目２１ａ、２１ｂを容易に切り取るためのつまみ２１ｃを備えている。つまみ２１ｃは、包装用外箱２０の表面を図のように切り込み線を設けることで構成される。つまみ２１ｃをミシン目に沿って移動させて切り取り、長細状物が作り出される。この長細状物の先端と後端をつなぎ合わせることで、図３に示す絞出器１ａが作り出される。
【００２１】
本発明の第４の実施の形態による包装用外箱３０について、図７乃至図９を用いて説明する。図７は、包装用外箱３０の正面右斜上から見た斜視図であり、図８は、包装用外箱３０の背面右斜上から見た斜視図である。
【００２２】
図７、図８に示すように、包装用外箱３０には、ミシン目３１、３２が設けられる。ミシン目３１は、左側面、正面、及び右側面にわたって設けられる。また、ミシン目３２は、ミシン目３１に囲まれた領域の内側であって、正面の上端をスリット状に切り取ることが可能に設けられる。また、本実施の形態による包装用外箱３０は、上面からレトルトパウチ食品用包装袋３を取出す必要がないため、上面と右側面及び左側面が、糊付等でしっかり接着される。また、展開した場合において、上面と正面は隣接している。このため、包装用外箱３０をミシン目３１、３２に沿って切り取ることで、図９に示す絞出器３０ａの立体的形状が作り出される。
【００２３】
図９（ａ）は、絞出器３０ａを正面右斜上から見た斜視図であり、図９（ｂ）は、絞出器３０ａの平面図であり、図９（ｃ）は、絞出器３０ａの右側面図である。
【００２４】
図９に示す絞出器３０ａは、略三角形の形状をした左側面及び右側面と、長方形状の前面及び背面で構成された立体的形状であり、三角形の頂点部分にスリット状の開口部３０ｂを有している。開口部３０ｂの長辺の長さは、レトルトパウチ食品用包装袋３の短辺の長さよりも長くなるように構成される。このため、開口部３０ｂには、食品を絞りだした後のレトルトパウチ食品用包装袋３を通すことが可能である。また、本実施の形態では、開口部３０ｂの短辺は、食品を密封した状態（未開封）のレトルトパウチ食品用包装袋３を通すことが不可能な長さとなるように構成される。なお、開口部３０ｂの短辺は、食品を密封した状態のレトルトパウチ食品用包装袋３を通すことが可能な長さとなるように構成される場合があってもよい。
【００２５】
本実施の形態の包装用外箱３０によって作り出される絞出器３０ａの使い方を説明する。絞出器３０ａの下側（開口部３０ｂの反対側）に開口したレトルトパウチ食品用包装袋３の下部（開口と反対側）を押しあて、開口部３０ｂからレトルトパウチ食品用包装袋３の下側の食品が含まれていない端部分を突出させる。次に、絞出器３０ａをレトルトパウチ食品用包装袋３の上部に向けて、絞出器３０ａの前面及び背面で挟圧しながら移動させる。食品が押し出されることで、開口部３０ｂからレトルトパウチ食品用包装袋３の食品が含まれていない部分をさらに突出させる。この動作を繰返すことで、レトルトパウチ食品用包装袋３内の食品をきれいに絞り出すことが可能となる。
【００２６】
本発明の第５の実施の形態による包装用外箱４０について、図１０乃至図１２を用いて説明する。図１０は、包装用外箱４０の正面右斜上から見た斜視図であり、図１１は、包装用外箱４０の展開図である。
【００２７】
図１０、図１１に示すように、包装用外箱４０には、ミシン目４１、４２が設けられる。ミシン目４１は、正面に設けられる。また、ミシン目４２は、正面の上端をスリット状に切り取ることが可能に設けられる。また、本実施の形態による包装用外箱４０は、図１２に示す絞出器４０ａを作り出すために、上面と右側面及び左側面が接着されていない。このため、包装用外箱４０をミシン目４１、４２に沿って切り取ることで、図１２に示す絞出器４０ａが作り出される。
【００２８】
図１２は、絞出器４０ａの平面図である。図１２に示す絞出器４０ａに設けられる開口部４０ｂの長辺の長さは、レトルトパウチ食品用包装袋３の短辺の長さよりも長くなるように構成される。このため、開口部４０ｂには、食品を絞りだした後のレトルトパウチ食品用包装袋３を通すことが可能である。また、本実施の形態では、開口部４０ｂの短辺は、食品を密封した状態（未開封）のレトルトパウチ食品用包装袋３を通すことが不可能な長さとなるように構成される。なお、開口部４０ｂの短辺は、食品を密封した状態のレトルトパウチ食品用包装袋３を通すことが可能な長さとなるように構成される場合があってもよい。
【００２９】
本発明は、上述の実施の形態に限らず種々の変形が可能である。また、上述の各実施の形態は、本発明の好適な一例であるので、技術的に好ましい種々の限定が付されているが、本発明の範囲は、上述の説明によって不当に限定されるものではない。また、上述の各実施の形態で説明される構成の全てが本発明の必須の構成要件ではない。また、上述の各実施の形態で説明される構成は相互に組み合わせることが可能である。また、上記のミシン目とは、切り取りしやすいように、紙に入れた連続した小穴のことを示す。また、上記のミシン目に代えて、切り取りしやすいように施されたあらゆる切り取り線を用いることも可能である。
【産業上の利用可能性】
【００３０】
本発明は、レトルトパウチ食品用包装袋用の包装用外箱のみならず、粒状物や液状物やまたはこれらの混合物を内包した袋の包装用外箱において広く利用可能である。
【符号の説明】
【００３１】
１、 １０、２０、３０、４０  包装用外箱
１ａ、３０ａ、４０ａ  絞出器
２ａ、２ｂ、１１ａ、１１ｂ、１２ａ、１２ｂ、２１ａ、２１ｂ、３１、３２、４１、４２  ミシン目
１１ｃ、１２ｃ、２１ｃ  つまみ
３０ｂ、４０ｂ  開口部
【図１】
2020050396.tif 000003
【図２】
2020050396.tif 000004
【図３】
2020050396.tif 000005
【図４】
2020050396.tif 000006
【図５】
2020050396.tif 000007
【図６】
2020050396.tif 000008
【図７】
2020050396.tif 000009
【図８】
2020050396.tif 000010
【図９】
2020050396.tif 000011
【図１０】
2020050396.tif 000012
【図１１】
2020050396.tif 000013
【図１２】
2020050396.tif 000014